(57)【特許請求の範囲】
【請求項１】
複数の情報処理装置と携帯型の情報処理装置とを備えた情報処理システムにおいて、
前記複数の情報処理装置は、それぞれ、
前記携帯型の情報処理装置からアイコンの表示を指示する指示情報を受信した場合、アイコンを出力装置に出力する出力部、を備え、
前記携帯型の情報処理装置は、
前記指示情報を前記複数の情報処理装置のうちいずれかの情報処理装置へ送信する送信部と、
前記指示情報を送信した送信先の情報処理装置により出力されたアイコンと同じアイコンを出力装置に出力する出力部と、
前記複数の情報処理装置にそれぞれ関連する複数のコンテンツ情報への接続先を表示し、前記送信先の情報処理装置に関連するコンテンツ情報への接続先を強調表示する表示部と、
を備えることを特徴とする情報処理システム。
【請求項２】
情報を中継する中継装置を更に備え、
前記携帯型の情報処理装置において、
前記送信部は、前記中継装置を介して前記指示情報を送信し、
前記表示部は、当該指示情報を送信した送信先の情報処理装置により出力されたアイコンと同じアイコン又は前記複数のコンテンツ情報への接続先と、接続先の情報処理装置から受信したコンテンツ情報と、をそれぞれ変更可能に表示することを特徴とする請求項１に記載の情報処理システム。
【請求項３】
前記携帯型の情報処理装置において、
前記出力部は、前記送信先の情報処理装置により決められたアイコンを出力することを特徴とする請求項１又は２に記載の情報処理システム。
【請求項４】
前記複数の情報処理装置は、それぞれ、
自身の情報処理装置に関連するコンテンツ情報を送信する送信部、を更に備え、
前記携帯型の情報処理装置において、
前記表示部は、前記複数の情報処理装置からの複数のコンテンツ情報に基づき生成された各コンテンツ情報への接続先を表示することを特徴とする請求項１乃至３のいずれかに記載の情報処理システム。
【請求項５】
前記携帯型の情報処理装置において、
前記表示部は、前記複数の情報処理装置にそれぞれ関連する複数のコンテンツ情報として、ユーザにより決められたコンテンツ情報、二次元コードから読み取ったコンテンツ情報、通信ネットワークを介して受信したコンテンツ情報のうちいずれかのコンテンツ情報に基づき生成されたコンテンツ情報への接続先を表示することを特徴とする請求項１乃至３のいずれかに記載の情報処理システム。
【請求項６】
前記複数の情報処理装置は、それぞれ、サイネージ端末であり、
前記アイコンは、
文字列、画像、音声、動画、又はそれらを組み合わせであることを特徴とする請求項１乃至５のいずれかに記載の情報処理システム。
【請求項７】
複数の情報処理装置と携帯型の情報処理装置とで行う情報処理方法において、
前記複数の情報処理装置は、それぞれ、
前記携帯型の情報処理装置からアイコンの表示を指示する指示情報を受信した場合、アイコンを出力装置に出力するステップ、を備え、
前記携帯型の情報処理装置は、
前記指示情報を前記複数の情報処理装置のうちいずれかの情報処理装置へ送信するステップと、
前記指示情報を送信した送信先の情報処理装置により出力されたアイコンと同じアイコンを出力装置に出力するステップと、
前記複数の情報処理装置にそれぞれ関連する複数のコンテンツ情報への接続先を表示し、前記送信先の情報処理装置に関連するコンテンツ情報への接続先を強調表示するステップと、
を備えることを特徴とする情報処理方法。
【請求項８】
請求項１乃至６のいずれかに記載の情報処理システムとしてコンピュータを機能させることを特徴とする情報処理プログラム。
【発明の詳細な説明】
【技術分野】
【０００１】
本発明は、サイネージ端末と携帯端末とを連携させる技術に関する。
【背景技術】
【０００２】
近年、デジタルサイネージ等のサイネージ端末（公共型共有設置端末）とスマートフォン等の携帯端末とを連携させるサービスが知られている。
【０００３】
非特許文献１では、サイネージ端末にコンテンツの二次元バーコードを表示し、サイネージの視聴者が携帯端末のカメラで該二次元バーコードを読み取り、携帯端末の内部ソフトウェアで該二次元バーコードを解釈させることで上記コンテンツのＵＲＬを取得し、携帯端末の内蔵ブラウザで該ＵＲＬにアクセスすることにより、上記視聴者にサイネージのコンテンツ関連情報を閲覧させるサービスを考案している。
【０００４】
また、非特許文献２では、サイネージの視聴者が二次元バーコードを携帯端末のカメラで撮影することが困難な場合、又は撮影可能な場合であっても、携帯端末を操作する手間を省き、サイネージの視聴者にサイネージコンテンツ関連情報を閲覧させるサービスを考案している。例えば、デジタルサイネージの近辺にＢＬＥ（Bluetooth Low Energy）の発信器を設置しておき、サイネージのコンテンツ関連情報が掲載されたウェブページのＵＲＬを含む無線信号を発信する。携帯端末は、上記ＢＬＥ発信器からの無線信号を内蔵の受信器で受信し、内部のソフトウェアで解析させることでＵＲＬを取得し、画面に表示する。そして、視聴者が確認した旨の操作をすると、携帯端末は、内蔵のブラウザで該ＵＲＬへアクセスする。この時、必要に応じてＵＲＬの示すＷｅｂページのタイトルを取得し、ＵＲＬの画面表示時に合わせてタイトルを表示する。これにより、サイネージの視聴者に該サイネージのコンテンツ関連情報を閲覧させるサービスを実現している。
【先行技術文献】
【非特許文献】
【０００５】
【非特許文献１】“新ID大捜査線 FILE No.048 街にあふれるデジタルサイネージ”、NTTコムウェア株式会社、［online］、［平成27年11月25日検索］、＜URL: http://www.nttcom.co.jp/comzine/no084/newdragnet/＞
【非特許文献２】“Physical Web”、［online］、［平成28年4月18日検索］、＜URL: https://google.github.io/physical-web/＞
【発明の概要】
【発明が解決しようとする課題】
【０００６】
しかし、非特許文献２において、携帯端末の付近に複数のサイネージ端末又は複数のＢＬＥ発信器がある場合、携帯端末は複数のＵＲＬを取得するため、サイネージの視聴者は、複数のＵＲＬとページタイトルのみから、自身の意図するコンテンツ関連情報の選択に迫られる。
【０００７】
本発明は、上記事情を鑑みてなされたものであり、デジタルサイネージの視聴者が連携対象のサイネージ端末及びコンテンツ関連情報を容易に特定し得ることを目的とする。
【課題を解決するための手段】
【０００８】
以上の課題を解決するため、請求項１に係る情報処理システムは、複数の情報処理装置と携帯型の情報処理装置とを備えた情報処理システムにおいて、前記複数の情報処理装置は、それぞれ、前記携帯型の情報処理装置からアイコンの表示を指示する指示情報を受信した場合、アイコンを出力装置に出力する出力部、を備え、前記携帯型の情報処理装置は、前記指示情報を前記複数の情報処理装置のうちいずれかの情報処理装置へ送信する送信部と、前記指示情報を送信した送信先の情報処理装置により出力されたアイコンと同じアイコンを出力装置に出力する出力部と、前記複数の情報処理装置にそれぞれ関連する複数のコンテンツ情報への接続先を表示し、前記送信先の情報処理装置に関連するコンテンツ情報への接続先を強調表示する表示部と、を備えることを要旨とする。
【０００９】
請求項２に係る情報処理システムは、請求項１に記載の情報処理システムにおいて、情報を中継する中継装置を更に備え、前記携帯型の情報処理装置において、前記送信部は、前記中継装置を介して前記指示情報を送信し、前記表示部は、当該指示情報を送信した送信先の情報処理装置により出力されたアイコンと同じアイコン又は前記複数のコンテンツ情報への接続先と、接続先の情報処理装置から受信したコンテンツ情報と、をそれぞれ変更可能に表示することを要旨とする。
【００１０】
請求項３に係る情報処理システムは、請求項１又は２に記載の情報処理システムにおいて、前記携帯型の情報処理装置において、前記出力部は、前記送信先の情報処理装置により決められたアイコンを出力することを要旨とする。
【００１１】
請求項４に係る情報処理システムは、請求項１乃至３のいずれかに記載の情報処理システムにおいて、前記複数の情報処理装置は、それぞれ、自身の情報処理装置に関連するコンテンツ情報を送信する送信部、を更に備え、前記携帯型の情報処理装置において、前記表示部は、前記複数の情報処理装置からの複数のコンテンツ情報に基づき生成された各コンテンツ情報への接続先を表示することを要旨とする。
【００１２】
請求項５に係る情報処理システムは、請求項１乃至３のいずれかに記載の情報処理システムにおいて、前記携帯型の情報処理装置において、前記表示部は、前記複数の情報処理装置にそれぞれ関連する複数のコンテンツ情報として、ユーザにより決められたコンテンツ情報、二次元コードから読み取ったコンテンツ情報、通信ネットワークを介して受信したコンテンツ情報のうちいずれかのコンテンツ情報に基づき生成されたコンテンツ情報への接続先を表示することを要旨とする。
【００１３】
請求項６に係る情報処理システムは、請求項１乃至５のいずれかに記載の情報処理システムにおいて、前記複数の情報処理装置は、それぞれ、サイネージ端末であり、前記アイコンは、文字列、画像、音声、動画、又はそれらを組み合わせであることを要旨とする。
【００１４】
請求項７に係る情報処理方法は、複数の情報処理装置と携帯型の情報処理装置とで行う情報処理方法において、前記複数の情報処理装置は、それぞれ、前記携帯型の情報処理装置からアイコンの表示を指示する指示情報を受信した場合、アイコンを出力装置に出力するステップ、を備え、前記携帯型の情報処理装置は、前記指示情報を前記複数の情報処理装置のうちいずれかの情報処理装置へ送信するステップと、前記指示情報を送信した送信先の情報処理装置により出力されたアイコンと同じアイコンを出力装置に出力するステップと、前記複数の情報処理装置にそれぞれ関連する複数のコンテンツ情報への接続先を表示し、前記送信先の情報処理装置に関連するコンテンツ情報への接続先を強調表示するステップと、を備えることを要旨とする。
【００１５】
請求項８に係る情報処理プログラムは、請求項１乃至６のいずれかに記載の情報処理システムとしてコンピュータを機能させることを要旨とする。
【発明の効果】
【００１６】
本発明によれば、デジタルサイネージの視聴者が連携対象のサイネージ端末及びコンテンツ関連情報を容易に特定できる。
【図面の簡単な説明】
【００１７】
【図１】第１の実施の形態におけるシステム全体の構成を示す図である。
【図２】第１の実施の形態における各装置の機能ブロック構成を示す図である。
【図３】第１の実施の形態におけるサイネージ端末の画面例の図である。
【図４】第１の実施の形態におけるシステム全体の構成（別構成例）を示す図である。
【図５】第１の実施の形態における携帯端末のＢＬＥ受信時の画面例を示す図である。
【図６】第１の実施の形態における携帯端末の複数のＢＬＥ受信時の画面例を示す図である。
【図７】第１の実施の形態におけるアイコン表示時の処理フローを示す図である。
【図８】第１の実施の形態における携帯端末の連携時の画面例を示す図である。
【図９】第１の実施の形態における電文例を示す図である。
【図１０】第１の実施の形態におけるサイネージ端末の連携時の画面例を示す図である。
【図１１】第１の実施の形態におけるサイネージ端末の変更時の処理フローを示す図である。
【図１２】第２の実施の形態におけるシステム全体の構成を示す図である。
【図１３】第２の実施の形態における各装置の機能ブロック構成を示す図である。
【図１４】第２の実施の形態における中継サーバへの電文例を示す図である。
【図１５】第２の実施の形態における中継サーバからの電文例を示す図である。
【図１６】第３の実施の形態における各装置の機能ブロック構成を示す図である。
【図１７】第３の実施の形態における処理フローを示す図である。
【図１８】第３の実施の形態における電文例を示す図である。
【図１９】第４の実施の形態における各装置の機能ブロック構成を示す図である。
【発明を実施するための形態】
【００１８】
以下、本発明を実施する一実施の形態について図面を用いて説明する。
【００１９】
［第１の実施の形態］
図１は、本実施の形態におけるシステム全体の構成を示す図である。本システム（情報処理システム）は、第１のサイネージ端末１ａと、第２のサイネージ端末１ｂと、携帯端末２と、Ｗｅｂサーバ３と、を備えて構成される。
【００２０】
第１のサイネージ端末１ａと携帯端末２は、ＢＬＥ（Bluetooth Low Energy）の無線通信で通信可能な距離に位置している。同様に、第２のサイネージ端末１ｂと携帯端末２は、ＢＬＥの無線通信で通信可能な距離に位置している。第１のサイネージ端末１ａ及び第２のサイネージ端末１ｂは、コンテンツを画面に表示する一方で、ＢＬＥの電波を送信し、携帯端末２からＢＬＥの電波を受信し、受信した内容に応じた情報を画面に表示する。
【００２１】
なお、本実施の形態では、２つのサイネージ端末を用いて説明するが、３つ以上のサイネージ端末を用いてもよいし、１つのサイネージ端末を用いてもよい。また、本実施の形態では、通信規格としてＢＬＥで通信する形態を説明するが、第１のサイネージ端末１ａ（又は第２のサイネージ端末１ｂ）から携帯端末２、携帯端末２から第１のサイネージ端末１ａ（又は第２のサイネージ端末１ｂ）に電文を伝えられるものであればよい。例えば、Bluetooth、無線LAN、“Wi-Fi Direct”、近距離無線通信、“Wireless USB”、ZigBee（登録商標）等がある。
【００２２】
携帯端末２とＷｅｂサーバ３は、所定の通信ネットワークで接続されている。該通信ネットワークは、Ｗｅｂコンテンツの要求と応答が可能な種類の通信ネットワークである。例えば、インターネット、ローカルエリアネットワーク等である。
【００２３】
図２は、本システムを構成する各装置の機能ブロック構成を示す図である。
【００２４】
まず、サイネージ端末の機能について説明する。第１のサイネージ端末１ａは、コンテンツ表示制御部１１と、コンテンツ画面生成部１２と、コンテンツ蓄積部１３と、表示部１４と、通信部１５と、電文読取部１６と、電文反映画面生成部１７と、アイコン蓄積部１８と、を備えて構成される。ここでは、第１のサイネージ端末１ａを例に説明するが、第２のサイネージ端末１ｂも第１のサイネージ端末１ａと同じ機能を備えている。
【００２５】
コンテンツ表示制御部１１は、サイネージコンテンツの表示内容を制御しており、予め定められたルールに応じて、コンテンツ画面生成部１２へ表示内容の指示を送る。該ルールには、コンテンツ識別子と、表示開始時刻と、表示時間との組み合わせが記されている。コンテンツ表示制御部１１は、該当の表示開始時刻になった時にコンテンツ識別子と表示時間とをコンテンツ画面生成部１２へ送る。
【００２６】
コンテンツ画面生成部１２は、コンテンツ表示制御部１１より受け取った指示に従って、コンテンツ蓄積部１３より該当コンテンツを取得し、表示内容を生成して表示部１４に送る。例えば、コンテンツ画面生成部１２は、コンテンツ表示制御部１１からコンテンツ識別子と表示時間とを受け取った場合、該コンテンツ識別子をコンテンツ蓄積部１３に送り、コンテンツ蓄積部１３から取得したコンテンツデータ又はコンテンツデータのＵＲＬを含んだ表示内容を表示部１４に送る。
【００２７】
コンテンツ蓄積部１３は、サイネージコンテンツを蓄積しており、コンテンツ画面生成部１２からの任意又は特定の取得要求に応じて蓄積しているコンテンツを返却する。該コンテンツとは、文字列、画像、音声、動画、又はそれらを組み合わせたもの等であり、コンテンツデータ又はコンテンツデータのＵＲＬが蓄積されている。従って、コンテンツ蓄積部１３は、コンテンツ画面生成部１２からコンテンツ識別子を受け取った場合、該当するコンテンツデータ又はコンテンツデータのＵＲＬをコンテンツ画面生成部１２に送る。なお、コンテンツ蓄積部１３の物理的な実現手段としては、ＲＡＭ、ＨＤＤ、ＳＳＤ、ＳＤカード等、任意の記憶手段が用いられる。
【００２８】
表示部１４は、コンテンツ画面生成部１２から表示内容を受けとり、電文反映画面生成部１７から表示内容を受け取り、それらを画面上に描画する。図３は、表示部１４によって表示される画面の例を示す図である。画面に表示される内容の全体は、コンテンツ表示領域と電文反映領域とで構成される。ここでは、それら２つの領域が分かれている例を示しているが、２つの領域が重なってもよい。その場合、コンテンツ表示領域の手前に電文反映領域が重なった状態となり、電文反映領域の内容は全て表示され、コンテンツ表示領域の内容は一部が隠れるように表示される。表示部１４は、コンテンツ画面生成部１２からコンテンツデータ又はコンテンツデータのＵＲＬを含んだ表示内容を受け取った場合、コンテンツ表示領域にコンテンツ又はコンテンツデータのＵＲＬが示すコンテンツを含んだ表示内容を表示する。また、表示部１４は、電文反映画面生成部１７からアイコンデータ又はアイコンデータのＵＲＬを含んだ表示内容を受け取った場合、電文反映領域にアイコン又はアイコンデータのＵＲＬが示すアイコンを含んだ表示内容を表示する。
【００２９】
通信部１５は、予め設定されたＵＲＬを含んだ信号を、ＢＬＥを使って発信する。この信号には、発信元である第１のサイネージ端末１ａを示す発信元識別子を含んでもよい。予め設定されたＵＲＬとは、例えば、第１のサイネージ端末１ａが表示するコンテンツに関するデジタルサイネージコンテンツ関連情報のＵＲＬである。また、通信部１５は、携帯端末２から送信されたＢＬＥの信号を受信し、その信号に含まれる電文を電文読取部１６に送る。
【００３０】
電文読取部１６は、通信部１５より受け取った電文を解釈し、必要な情報を抽出して、電文反映画面生成部１７に送る。
【００３１】
電文反映画面生成部１７は、電文読取部１６より受け取った電文に従って、表示内容を生成し、表示部１４に送る。また、電文反映画面生成部１７は、電文の内容に応じて、アイコン蓄積部１８よりアイコンを取得し、表示内容を生成し、表示部１４に送る。
【００３２】
アイコン蓄積部１８は、自サイネージ端末の画面に表示するアイコンデータ又はアイコンデータの所在情報を蓄積している。また、アイコン蓄積部１８は、電文反映画面生成部１７の要求に応じて、蓄積しているアイコンを返却する。該アイコンは、画像だけに限らない。アイコンと成り得るものとしては、文字列、画像、音声、動画、又はそれらを組み合わせたもの等である。また、携帯端末２のアイコン蓄積部２８に蓄積されているアイコンと同一のものが同一の識別子で管理されている。
【００３３】
第１のサイネージ端末１ａ及び第２のサイネージ端末１ｂは、例えば上記のとおり構成されるが、これに限定されるものではない。例えば、コンテンツ表示制御部１１を内蔵せずに、別の装置で備えるようにしてもよい。その場合、該別の装置と各サイネージ端末１ａ，１ｂは、所定の通信ネットワーク等で接続し、該別の装置に含まれるコンテンツ表示制御部１１からコンテンツ画面生成部１２へ指示することができるようにする。
【００３４】
その他、例えば、コンテンツ蓄積部１３を内蔵せずに、別の装置に備えるようにしてもよい。その場合、該別の装置と各サイネージ端末１ａ，１ｂは、所定の通信ネットワーク等で接続し、コンテンツ画面生成部１２は、該別の装置に含まれるコンテンツ蓄積部１３からコンテンツを取得することができるようにする。
【００３５】
その他、例えば、表示部１４は、各サイネージ端末１ａ，１ｂの内蔵ディスプレイに描画してもよいし、映像信号を外付けのディスプレイに出力して描画してもよい。また、ディスプレイ以外の各サイネージ端末１ａ，１ｂの筐体に備えられたものでもよい。例えば、筐体に備わるＬＥＤライトの発光で表示してもよい。また、表出されたものが視覚により認識されるものとは限らない。例えば、聴覚により認識されるものとして、サイネージ端末の内蔵スピーカーで音声を再生してもよいし、外付けのスピーカーで音声を再生してもよい。なお、表示部１４を含み、ディスプレイ、ＬＥＤライト、スピーカー等は、各サイネージ端末１ａ，１ｂにおけるアイコンの出力装置として構成される。
【００３６】
例えば、アイコン蓄積部１８を内蔵せずに、別の装置に備えるようにしてもよい。その場合、該別の装置と各サイネージ端末１ａ，１ｂは、所定の通信ネットワーク等で接続し、電文反映画面生成部１７は、該別の装置に含まれるアイコン蓄積部１８からアイコンを取得することができるようにする。
【００３７】
次に、携帯端末２について説明する。携帯端末２は、図２に示したように、通信部２１と、電文読取部２２と、ＵＲＬ情報画面生成部２３と、表示部２４と、Ｗｅｂクライアント部２５と、入力受付部２６と、電文生成部２７と、アイコン蓄積部２８と、を備えて構成される。
【００３８】
通信部２１は、各サイネージ端末１ａ，１ｂから電波を受信し、受信した信号に含まれる電文を電文読取部２２に送る。また、通信部２１は、電文生成部２７より受け取った電文を、ＢＬＥを使って発信する。
【００３９】
電文読取部２２は、通信部２１より受け取った電文を解釈し、必要な情報を抽出して、ＵＲＬ情報画面生成部２３に送る。
【００４０】
ＵＲＬ情報画面生成部２３は、電文読取部２２より受け取った情報に従って、表示内容を生成し、表示部２４に送る。ここで、ＵＲＬ情報画面生成部２３は、電文読取部２２より受け取った情報に含まれるＵＲＬをＷｅｂクライアント部２５に送ってもよい。その返答として、Ｗｅｂクライアント部２５から別のＵＲＬを受け取った場合、該別のＵＲＬを表示内容の対象としてもよい。また、Ｗｅｂクライアント部２５からタイトル等の文字列を受け取った場合、それを表示内容の対象としてもよい。また、ＵＲＬ情報画面生成部２３は、入力受付部２６から受け取った操作内容に応じた、電文に含むデータを電文生成部２７へ渡す。また、ＵＲＬ情報画面生成部２３は、アイコン蓄積部２８からアイコンを取得する。
【００４１】
表示部２４は、ＵＲＬ情報画面生成部２３より受け取った表示内容を画面に表示する。具体的には、表示部２４は、例えば、ＵＲＬやアイコン等を画面に表示する。表示部２４は、アイコンが画像、文字列、動画等の視覚により認識される場合、画面に表示し、アイコンが音声等の聴覚により認識される場合、スピーカーに出力する。なお、表示部２４を含み、ディスプレイ、ＬＥＤライト、スピーカー等は、携帯端末２におけるアイコンの出力装置として構成される。
【００４２】
Ｗｅｂクライアント部２５は、ＵＲＬ情報画面生成部２３より受け取ったＵＲＬの取得要求をＷｅｂサーバ３に送る。また、Ｗｅｂクライアント部２５は、該取得要求に対して返却されたＵＲＬ及び該取得要求に対して返却されたＨＴＭＬの一部、例えば＜ｔｉｔｌｅ＞要素の値などを、ＵＲＬ情報画面生成部２３に送る。
【００４３】
入力受付部２６は、携帯端末２の操作者からの操作を受け付ける。また、入力受付部２６は、該操作された内容をＵＲＬ情報画面生成部２３に送る。
【００４４】
電文生成部２７は、ＵＲＬ情報画面生成部２３より受け取った内容をもとに電文を生成し、通信部２１に送る。
【００４５】
アイコン蓄積部２８は、携帯端末２に表示するアイコンを蓄積している。また、アイコン蓄積部２８は、ＵＲＬ情報画面生成部２３の要求に応じて蓄積しているアイコンを返却する。該アイコンは、画像だけに限らない。アイコンと成り得るものとしては、文字列、画像、音声、動画、又はそれらを組み合わせたもの等であり、アイコンデータ又はアイコンデータの所在情報が蓄積されている。また、各サイネージ端末１ａ，１ｂのアイコン蓄積部１８に蓄積されているアイコンと同一のものが同一の識別子で管理されている。
【００４６】
携帯端末２は、例えば上記のとおり構成されるが、これに限定されるものではない。例えば、表示部２４は、携帯端末２の内蔵ディスプレイに描画してもよいし、映像信号を外付けのディスプレイに出力して描画してもよい。その他、例えば、アイコン蓄積部２８を内蔵せずに、別の装置に備えるようにしてもよい。その場合、該別の装置と携帯端末２は、所定の通信ネットワーク等で接続し、ＵＲＬ情報画面生成部２３は、該別の装置に含まれるアイコン蓄積部２８からアイコンを取得することができるようにする。
【００４７】
次に、本システムの動作について説明する。
【００４８】
まず、本実施の形態において、図４に示される状態、すなわち第１のサイネージ端末１ａと携帯端末２が通信できる範囲にあり、第２のサイネージ端末１ｂと携帯端末２が通信できない範囲にある場合の動作について説明する。
【００４９】
なお、本発明の課題は、携帯端末２の付近に複数のサイネージ端末がある状況で発生するが、まずは、携帯端末２の付近に１つのサイネージ端末がある場合の動作を説明する。ここでは、第１のサイネージ端末１ａの通信部１５に予め設定するＵＲＬとして、第１のサイネージ端末１ａを視聴する視聴者の保持する携帯端末２からアクセスさせたいサイネージコンテンツ関連情報のＵＲＬａが設定されている。
【００５０】
ステップＳ１０１）まず、携帯端末２において、通信部２１が、第１のサイネージ端末１ａの通信部１５から発信されているＢＬＥの信号を受信した場合、その信号に含まれるデータを電文読取部２２に送る。
【００５１】
ステップＳ１０２）次に、携帯端末２の電文読取部２２は、通信部２１より受け取った電文を解釈し、必要な情報（ＵＲＬａ，第１のサイネージ端末１ａの識別子）を抽出すると、該ＵＲＬａをＵＲＬ情報画面生成部２３に送る。
【００５２】
ステップＳ１０３）次に、携帯端末２のＵＲＬ情報画面生成部２３は、電文読取部２２より受け取った情報にＵＲＬがある場合、該ＵＲＬをＷｅｂクライアント部２５に送る。
【００５３】
ステップＳ１０４）次に、携帯端末２のＷｅｂクライアント部２５は、ＵＲＬ情報画面生成部２３より受け取ったＵＲＬ（ＵＲＬａ）の取得要求をＵＲＬが示す装置に送る。そして、Ｗｅｂクライアント部２５は、該取得要求に対して返却されたＵＲＬが、ＵＲＬ情報画面生成部２３より受け取ったＵＲＬ（ＵＲＬａ）と一致する場合、ＨＴＭＬ内のｔｉｔｌｅ要素の値をＵＲＬ情報画面生成部２３に送る。一方、取得要求に対して返却されたＵＲＬが、ＵＲＬ情報画面生成部２３より受け取ったＵＲＬ（ＵＲＬａ）と異なる場合、Ｗｅｂクライアント部２５は、上記取得要求に対して返却されたＵＲＬ及びＨＴＭＬ内のｔｉｔｌｅ要素の値をＵＲＬ情報画面生成部２３に送る。
【００５４】
ステップＳ１０５）次に、携帯端末２のＵＲＬ情報画面生成部２３は、Ｗｅｂクライアント部２５から受け取ったｔｉｔｌｅ要素の値と、Ｗｅｂクライアント部２５からＵＲＬを受け取った場合は該ＵＲＬ又はＵＲＬを受け取っていない場合は電文読取部２２より受け取ったＵＲＬ（ＵＲＬａ）と、電文読取部２２より受け取った発信元である第１のサイネージ端末１ａの識別子とを一旦記憶し、それらを表示内容として画面を生成し、表示部２４に送る。
【００５５】
ステップＳ１０６）次に、携帯端末２の表示部２４は、ＵＲＬ情報画面生成部２３より受け取った表示内容を表示する。画面の例を図５に示す。
【００５６】
ステップＳ１０７）その後、携帯端末２の入力受付部２６は、携帯端末２の操作者からの入力を受け付けており、操作者が図５に示すキャンセルボタン５１を選択した場合、処理を終了する。一方、操作者がＵＲＬａへの接続ボタン５２を選択した場合、ＵＲＬ情報画面生成部２３を介してＷｅｂクライアント部２５がＵＲＬの取得要求を行い、返却値のＨＴＭＬ等を解釈して画面に表示する。又は、携帯端末２が備える本発明とは別のＷｅｂブラウザプログラムにＵＲＬを渡すことで、ＷｅｂブラウザにＵＲＬを取得させることとしてもよい。
【００５７】
これにより、視聴者は、自身の保持する携帯端末２から第１のサイネージ端末１ａで表示されているコンテンツや該コンテンツに関するサイネージコンテンツ関連情報を画面上で閲覧することできる。
【００５８】
次に、本実施の形態において、図１に示した状態、すなわち第１のサイネージ端末１ａと携帯端末２が通信できる範囲にあり、第２のサイネージ端末１ｂと携帯端末２が通信できる範囲にある場合の動作について説明する。なお、第１のサイネージ端末１ａの通信部１５に予め設定するＵＲＬとして、第１のサイネージ端末１ａを視聴する視聴者の保持する携帯端末２からアクセスさせたいサイネージコンテンツ関連情報のＵＲＬａが設定されている。同様に、第２のサイネージ端末１ｂの通信部１５に予め設定するＵＲＬとして、第２のサイネージ端末１ｂを視聴する視聴者の保持する携帯端末２からアクセスさせたいサイネージコンテンツ関連情報のＵＲＬｂが設定されている。
【００５９】
ステップＳ２０１）まず、携帯端末２は、自端末の通信部２１が、第１のサイネージ端末１ａの通信部１５から発信されているＢＬＥの信号を受信した場合、その信号に含まれるデータを電文読取部２２に送る。以降、携帯端末２は、前述のステップＳ１０２〜Ｓ１０５までの処理を行う。
【００６０】
ステップＳ２０２）第１のサイネージ端末１ａからの信号の処理中に、携帯端末２の通信部２１が、第２のサイネージ端末１ｂの通信部１５から発信されているＢＬＥの信号を受信した場合、その信号に含まれるデータを電文読取部２２に送る。以降、携帯端末２は、前述のステップＳ１０２〜Ｓ１０５までの処理を行う。
【００６１】
ステップＳ２０３）その後、携帯端末２の表示部２４は、ＵＲＬ情報画面生成部２３より受け取った表示内容を表示する。画面の例を図６に示す。
【００６２】
ステップＳ２０４）携帯端末２の入力受付部２６は、携帯端末２の操作者からの入力を受け付けており、操作者が図６に示すキャンセルボタン６１を選択した場合、処理を終了する。一方、操作者が、ＵＲＬａへの接続ボタン６２を選択した場合にはＵＲＬａの取得要求を、ＵＲＬｂへの接続ボタン６３を選択した場合にはＵＲＬｂの取得要求を、それぞれ、ＵＲＬ情報画面生成部２３を介してＷｅｂクライアント部２５に指示し、返却値のＨＴＭＬ等を解釈して画面に表示する。又は、携帯端末２が備える本発明とは別のＷｅｂブラウザプログラムにＵＲＬを渡すことで、ＷｅｂブラウザにＵＲＬを取得させることとしてもよい。
【００６３】
一方、操作者が確認ボタン６４を選択した場合、携帯端末２は、後述する動作を行うことにより、ＵＲＬａ，ＵＲＬｂと各サイネージ端末１ａ，１ｂとの関連付けを操作者が把握できる形式で表示する。以降、図７を参照しながら、操作者が確認ボタン６４を選択した場合の処理を説明する。
【００６４】
ステップＳ３０１）まず、携帯端末２のＵＲＬ情報画面生成部２３は、受信した信号に応じて、受信した順に、発信元識別子と、ＵＲＬと、ｔｉｔｌｅ要素の値との情報を記憶した状態にある。具体的には、１番目に受信した信号として、第１のサイネージ端末１ａに関する、発信元識別子１ａ、ＵＲＬａ、Ｔｉｔｌｅａを記憶している。また、２番目に受信した信号として、第２のサイネージ端末１ｂに関する、発信元識別子１ｂ、ＵＲＬｂ、Ｔｉｔｌｅｂを記憶している。
【００６５】
ステップＳ３０２）次に、携帯端末２の入力受付部２６は、ＵＲＬ情報画面生成部２３に確認ボタン６４が押された旨を送信する。
【００６６】
ステップＳ３０３）次に、携帯端末２のＵＲＬ情報画面生成部２３は、アイコン蓄積部２８よりランダムに任意のアイコンを取得する。ここで取得するアイコンは、携帯端末２により決定又は携帯端末２の操作者の認証により決定してもよい。
【００６７】
ステップＳ３０４）次に、携帯端末２のＵＲＬ情報画面生成部２３は、取得したアイコン識別子とアイコン表示指示と発信元である携帯端末２の識別子とを電文内容とし、１番目に受信した信号の発信元である第１のサイネージ端末１ａの識別子を宛先として、電文生成部２７に送る。また、ＵＲＬ情報画面生成部２３は、電文生成部２７に宛先として送った第１のサイネージ端末１ａの識別子を記憶する。
【００６８】
ステップＳ３０５）次に、携帯端末２のＵＲＬ情報画面生成部２３は、アイコン、ＵＲＬａ、ＵＲＬｂ、各ＵＲＬに対応するｔｉｔｌｅ要素を表示内容として、電文生成部２７に宛先として送った第１のサイネージ端末１ａに関連する情報を強調表示するように画面を生成し、表示部２４に送る。
【００６９】
ステップＳ３０６）その後、携帯端末２の表示部２４は、ＵＲＬ情報画面生成部２３より受け取った表示内容を画面に表示する。画面の例を図８に示す。アイコン８１は、アイコン蓄積部２８より取得した任意のアイコンである。ＵＲＬａへの接続ボタン８２には、先に受信した第１のサイネージ端末１ａからの信号に含まれるＵＲＬａから紐付く内容が表示されている。ＵＲＬｂへの接続ボタン８３には、２番目に受信した第２のサイネージ端末１ｂからの信号に含まれるＵＲＬｂから紐付く内容が表示されている。電文生成部２７に宛先として送った第１のサイネージ端末１ａに関連するＵＲＬａへの接続ボタン８２は、アイコン表示指示の宛先である旨が分かるように強調表示されている。
【００７０】
ステップＳ３０７）また、ステップＳ３０４の後、携帯端末２の電文生成部２７は、ＵＲＬ情報画面生成部２３より受け取った情報をもとに電文を生成し、通信部２１に送る。この電文の一例を図９に示す。その後、通信部２１は、受け取った電文を、ＢＬＥの信号で、宛先である第１のサイネージ端末１ａに送信する。
【００７１】
ステップＳ３０８）第１のサイネージ端末１ａの通信部１５は、携帯端末２からの信号を受信し、受信した信号に含まれる電文を電文読取部１６に送る。
【００７２】
ステップＳ３０９）次に、第１のサイネージ端末１ａの電文読取部１６は、通信部１５より受け取った電文より、アイコン識別子とアイコン表示指示と発信元である携帯端末２の識別子とを抽出し、電文反映画面生成部１７に送る。
【００７３】
ステップＳ３１０）次に、第１のサイネージ端末１ａの電文反映画面生成部１７は、電文読取部１６より受け取ったアイコン識別子に応じたアイコンをアイコン蓄積部１８より取得し、取得したアイコンを利用して画面を生成し、表示部１４に送る。
【００７４】
ステップＳ３１１）最後に、第１のサイネージ端末１ａの表示部１４は、電文反映画面生成部１７から表示内容を受け取り画面に描画する。画面の例を図１０に示す。アイコン８１は、携帯端末２より受信した電文に含まれていたアイコン識別子をもとにアイコン蓄積部１８より取得したものである。
【００７５】
これにより、携帯端末２と第１のサイネージ端末１ａとに同じアイコンが表示され、かつ、携帯端末２では第１のサイネージ端末１ａに関連するＵＲＬａへの接続ボタン８２が強調表示される。そのため、携帯端末２の操作者は、ＵＲＬａとＵＲＬｂのどちらが第１のサイネージ端末１ａに関連付けられたものかを判断できる。
【００７６】
次に、図１１を参照しながら、携帯端末２の操作者が、その後、携帯端末２の表示部２４に表示されている切替ボタン８４を選択した場合の処理を説明する。
【００７７】
ステップＳ４０１）まず、携帯端末２のＵＲＬ情報画面生成部２３は、現時点において、１番目に受信した信号として、第１のサイネージ端末１ａに関する、発信元識別子１ａ、ＵＲＬａ、Ｔｉｔｌｅａ、表示指示の電文送信済みの旨を記憶している。また、ＵＲＬ情報画面生成部２３は、２番目に受信した信号として、第２のサイネージ端末１ｂに関する、発信元識別子１ｂ、ＵＲＬｂ、Ｔｉｔｌｅｂを記憶している。
【００７８】
ステップＳ４０２）次に、携帯端末２の入力受付部２６は、ＵＲＬ情報画面生成部２３に切替ボタン８４が押された旨を送信する。
【００７９】
ステップＳ４０３，Ｓ４０４）次に、携帯端末２のＵＲＬ情報画面生成部２３は、切替ボタン８４が押された旨を受け取ると、現時点で表示指示の電文送信済みである１番目の信号に関する第１のサイネージ端末１ａについてアイコン非表示とし、次に受信していた２番目の信号に関する第２のサイネージ端末１ｂについてアイコン表示とする処理を行う。
【００８０】
具体的には、ＵＲＬ情報画面生成部２３は、電文生成部２７に、表示中のアイコンの識別子とアイコン表示解除の指示と携帯端末２の識別子と切替前指示の宛先である第１のサイネージ端末１ａの識別子とを送る（ステップＳ４０３）。また、ＵＲＬ情報画面生成部２３は、電文生成部２７に、表示中のアイコンの識別子とアイコン表示の指示と携帯端末２の識別子と切替後指示の宛先である第２のサイネージ端末１ｂの識別子とを送る（ステップＳ４０４）。その後、ＵＲＬ情報画面生成部２３は、第１のサイネージ端末１ａと関連して記憶していた表示指示の電文送信済みの旨を消去し、第２のサイネージ端末１ｂに表示指示の電文送信済みの旨を記憶する。
【００８１】
ステップＳ４０５，Ｓ４０６）その後、ＵＲＬ情報画面生成部２３は、第１のサイネージ端末１ａに関連するＵＲＬａへの接続ボタン８２の強調表示を解除し、第２のサイネージ端末１ｂに関連するＵＲＬｂへの接続ボタン８３を、現時点でのアイコン表示指示の宛先である旨がわかるよう強調表示し、表示部２４より表示する。
【００８２】
ステップＳ４０７，Ｓ４０８）その後、電文生成部２７は、ＵＲＬ情報画面生成部２３よりそれぞれ受け取った情報をもとに電文を生成し、通信部２１に送る。そして、通信部２１は、電文生成部２７よりそれぞれ受け取った電文を各サイネージ端末１ａ，１ｂにそれぞれ送信する。
【００８３】
ステップＳ４０９）第１のサイネージ端末１ａの通信部１５は、携帯端末２からの信号を受信し、受信した信号に含まれる電文を電文読取部１６に送る。
【００８４】
ステップＳ４１０）次に、第１のサイネージ端末１ａの電文読取部１６は、通信部１５より受け取った電文より、アイコン識別子とアイコン表示解除の指示と携帯端末２の識別子とを抽出し、電文反映画面生成部１７に送る。
【００８５】
ステップＳ４１１）次に、第１のサイネージ端末１ａの電文反映画面生成部１７は、電文読取部１６より受け取った指示がアイコン表示解除である場合、電文読取部１６より受け取ったアイコン識別子と、表示中のアイコンの識別子とを照会し、同一であれば該アイコンは表示しないような画面を生成し、表示部１４に送る。
【００８６】
ステップＳ４１２）その後、第１のサイネージ端末１ａの表示部１４は、電文反映画面生成部１７から表示内容を受け取り画面に描画する。
【００８７】
ステップＳ４１３〜Ｓ４１６）一方、第２のサイネージ端末１ｂでは、携帯端末２からの信号を受信した後、図７に示したステップＳ３０８〜Ｓ３１１と同様の処理を行う。
【００８８】
これにより、携帯端末２と第２のサイネージ端末１ｂとに同じアイコンが表示され、かつ、携帯端末２では第２のサイネージ端末１ｂに関連するＵＲＬｂへの接続ボタン８３が強調表示される。そのため、携帯端末２の操作者は、ＵＲＬａとＵＲＬｂのどちらが第２のサイネージ端末１ｂに関連付けられたものかを判断できる。
【００８９】
なお、本実施の形態は、携帯端末２が通信できる範囲に、サイネージ端末が２つより多く存在する場合にも適用できる。前述のステップＳ４０３，Ｓ４０４の処理において、現時点で表示指示の電文送信済みであるｎ番目の信号に関する第ｎのサイネージ端末１ｎについてアイコン非表示とし、次に受信したｎ＋１番目の信号に関する第ｎ＋１のサイネージ端末１ｎ＋１についてアイコンを表示する処理を行えばよい。
【００９０】
ここで、ｎ番目の信号に関するサイネージ端末にアイコン表示指示電文送信済みであり、次のｎ＋１番目に受信した信号に該当するものがない場合には、１番目に受信した信号に関する第１のサイネージ端末にアイコン表示する処理となる。
【００９１】
ここまで、ＵＲＬａ及びＵＲＬｂがＷｅｂサーバ３内のデータを示す例を説明したが、該データはこれに限らない。ＵＲＬａ及びＵＲＬｂで、各サイネージ端末１ａ，１ｂ内、又は携帯端末２内のデータを示すこともできる。Ｗｅｂサーバ３内のデータを示す場合とそれ以外の装置内のデータを示す場合の差分については、公知の技術で実現できるため、その記載を省略する。また、ＵＲＬ形式だけに限らず、異なる形式の識別子の利用も可能である。
【００９２】
以上説明したように、本実施の形態によれば、携帯端末がＢＬＥで通信できる範囲に、サイネージ端末が２つより多く存在し、複数のサイネージ端末からサイネージコンテンツ関連情報のＵＲＬがＢＬＥでそれぞれ発信される場合であっても、１つのサイネージ端末のみに携帯端末に表示されているアイコンと同一のアイコンを表示させることができる。これにより、携帯端末を持つサイネージ視聴者が連携対象デジタルサイネージ及びサイネージコンテンツ関連情報を判別することができる。
【００９３】
［第２の実施の形態］
以下、第２の実施の形態について、図面を用いて第１の実施の形態との差分について説明する。第１の実施の形態では、アイコン表示・非表示の電文のやりとりを、携帯端末２と各サイネージ端末１ａ，１ｂとの間で直接、近接通信の通信手段で行う場合について説明した。一方、第２の実施の形態では、アイコン表示・非表示の電文のやりとりを、距離の大きさには依存しない通信手段で行う場合について説明する。具体的には、携帯端末２と各サイネージ端末１ａ，１ｂとの間の通信を中継サーバを介して行う。距離の大きさに依存しない通信手段で電文をやりとりするには、通信相手を特定する必要があるため、中継サーバで電文の宛先を変更する。
【００９４】
また、第１の実施の形態では、例えば、図８に示したＵＲＬａへの接続ボタン８２が押された場合、そのＨＴＴＰリクエストの送信に対する応答により、画面全体の表示内容が変わってしまう。これでは、その後に他のボタンを選択したい場合、図８の画面を参照したい場合等、図８の画面まで戻らなければならず、画面の利便性が低い。そこで、第２の実施の形態では、ＨＴＴＰ通信部を新たに備え、携帯端末２の通信部２１と各サイネージ端末１ａ，１ｂの通信部１５とが行っていたアイコン表示・非表示の電文のやりとりをＨＴＴＰ通信で行う。つまり、携帯端末２は、アイコン表示・非表示の電文のＨＴＴＰリクエストをＨＴＴＰ通信部で行い、サイネージコンテンツ関連情報へのＨＴＴＰリクエストをＷｅｂクライアント部２５で行い、ＨＴＴＰ通信部等の処理に応じて表示されるアイコン８１等と、Ｗｅｂクライアント部２５の処理に応じて表示されるサイネージコンテンツ関連情報とを画面内の異なる表示領域にそれぞれ表示し、アイコン８１等とサイネージコンテンツ関連情報との各ページ遷移を各表示領域でそれぞれ行うようにする。
【００９５】
図１２は、本実施の形態におけるシステム全体の構成を示す図である。第１のサイネージ端末１ａと携帯端末２は、ＢＬＥの無線通信で通信可能な距離に位置している。同様に、第２のサイネージ端末１ｂと携帯端末２は、ＢＬＥの無線通信で通信可能な距離に位置している。携帯端末２とＷｅｂサーバ３は、所定の通信ネットワークで接続されている。該通信ネットワークは、Ｗｅｂコンテンツの要求と応答が可能な種類のネットワークである。例えば、インターネット、ローカルエリアネットワーク等である。
【００９６】
中継サーバ４は、第１のサイネージ端末１ａ、第２のサイネージ端末１ｂ、携帯端末２に所定の通信ネットワークで接続されている。例えば、インターネット、ローカルエリアネットワーク等である。また、Ｗｅｂサーバ３と中継サーバ４は、同一装置で構成してもよい。
【００９７】
図１３は、本実施の形態における各装置の機能ブロック構成を示す図である。
【００９８】
各サイネージ端末１ａ，１ｂは、コンテンツ表示制御部１１と、コンテンツ画面生成部１２と、コンテンツ蓄積部１３と、表示部１４と、通信部１５と、電文読取部１６と、電文反映画面生成部１７と、アイコン蓄積部１８と、ＨＴＴＰ通信部１９と、を備えて構成される。各サイネージ端末１ａ，１ｂは、例えば上記のとおり構成されるが、これに限定されるものではない。例えば、通信部１５をサイネージ端末１ａ，１ｂに内蔵せずに、別の装置に備えるようにしてもよい。
【００９９】
以下、各サイネージ端末１ａ，１ｂにおいて、第１の実施の形態との差分について説明する。
【０１００】
通信部１５は、予め設定されたＵＲＬを含んだ信号を、ＢＬＥを使って発信する。この信号には、発信元の第１のサイネージ端末１ａ又は第２のサイネージ端末１ｂを示す発信元識別子を含んでもよい。予め設定されたＵＲＬとは、例えば、該デジタルサイネージコンテンツ関連情報のＵＲＬである。
【０１０１】
電文読取部１６は、ＨＴＴＰ通信部１９より受け取った電文を解釈し、必要な情報を抽出して、電文反映画面生成部１７に送る。
【０１０２】
ＨＴＴＰ通信部１９は、中継サーバ４から通信ネットワークを経由して電文を受信し、電文読取部１６へ送る。なお、中継サーバ４を介して行う各サイネージ端末１ａ，１ｂと携帯端末２との間のＨＴＴＰ通信は、公知のAjax（Asynchronous JavaScript + XML）、ＷｅｂＳｏｃｋｅｔ等の技術で実装されてもよい。例えば、ＨＴＴＰ通信をＷｅｂＳｏｃｋｅｔで実装する場合、ＨＴＴＰ通信部１９は、ＷｅｂＳｏｃｋｅｔクライアントの役割となる。
【０１０３】
次に、携帯端末２について説明する。携帯端末２は、通信部２１と、電文読取部２２と、ＵＲＬ情報画面生成部２３と、表示部２４と、Ｗｅｂクライアント部２５と、入力受付部２６と、電文生成部２７と、アイコン蓄積部２８と、ＨＴＴＰ通信部２９と、を備えて構成される。
【０１０４】
以下、携帯端末２において、第１の実施の形態との差分について説明する。
【０１０５】
通信部２１は、各サイネージ端末１ａ，１ｂからＢＬＥの信号を受信し、その信号に含まれる電文を電文読取部２２に送る。
【０１０６】
電文生成部２７は、ＵＲＬ情報画面生成部２３より受け取った内容をもとに電文を生成し、ＨＴＴＰ通信部２９に送る。
【０１０７】
ＨＴＴＰ通信部２９は、電文生成部２７より電文を受け取り、その電文を中継サーバ４に送信する。例えば、ＨＴＴＰ通信をＷｅｂＳｏｃｋｅｔで実装する場合、ＨＴＴＰ通信部２９はＷｅｂＳｏｃｋｅｔクライアントの役割となる。
【０１０８】
次に、中継サーバ４について説明する。中継サーバ４は、各サイネージ端末１ａ，１ｂと携帯端末２との間で送受信される情報を中継するサーバであり、ＨＴＴＰ通信部４１と、中継部４２と、を備えて構成される。
【０１０９】
ＨＴＴＰ通信部４１は、各サイネージ端末１ａ，１ｂ及び携帯端末２からデータを受信し、中継部４２へ送る。また、ＨＴＴＰ通信部４１は、中継部４２からデータを受け取り、各サイネージ端末１ａ，１ｂ及び携帯端末２へデータを送信する。例えば、ＷｅｂＳｏｃｋｅｔで実装する場合、ＨＴＴＰ通信部４１は、ＷｅｂＳｏｃｋｅｔサーバの役割となる。
【０１１０】
中継部４２は、ＨＴＴＰ通信部４１よりデータを受け取り、後述の処理を実施した後、ＨＴＴＰ通信部４１に送る。
【０１１１】
次に、本実施の形態において、図１２に図示される状態、すなわち第１のサイネージ端末１ａと携帯端末２が通信できる範囲にあり、第２のサイネージ端末１ｂと携帯端末２が通信できる範囲にある場合の動作について、第１の実施の形態との差分について説明する。なお、操作者が確認ボタン６４を選択するまでの動作は、前述のステップＳ２０１〜Ｓ２０４，ステップＳ３０１と同様である。
【０１１２】
ステップＳ５０１）ステップＳ３０２〜Ｓ３０４の後、携帯端末２の電文生成部２７は、電文生成部２７は、ＵＲＬ情報画面生成部２３より受け取った情報をもとに電文を生成し、ＨＴＴＰ通信部２９に送る。この電文の一例を図１４に示す。第１の実施の形態では、電文の宛先が第１のサイネージ端末１ａであったが、本実施の形態では、中継サーバ４となる。また、第１の実施の形態において宛先であった第１のサイネージ端末１ａは、電文の内容として記述される。この中継サーバ４の情報は、電文生成部２７が予め記憶している。又は、第１のサイネージ端末１ａから受信する信号の中に中継サーバ４の情報が含まれるように構成することもできる。
【０１１３】
ステップＳ５０２）その後、携帯端末２のＨＴＴＰ通信部２９は、電文生成部２７より受け取った電文を、中継サーバ４に送信する。例えば、ＨＴＴＰ通信部２９は、その電文をＷｅｂＳｏｃｋｅｔ通信で中継サーバ４に送信する。
【０１１４】
ステップＳ５０３）中継サーバ４のＨＴＴＰ通信部４１は、携帯端末２より受信した電文を中継部４２へ送る。
【０１１５】
ステップＳ５０４）次に、中継サーバ４の中継部４２は、ＨＴＴＰ通信部４１より受信した電文の内容に含まれる宛先である第１のサイネージ端末１ａの識別子を抽出し、これを新たに宛先とした電文を生成し、ＨＴＴＰ通信部４１に送る。新たに生成される電文の例を図１５に示す。
【０１１６】
ステップＳ５０５）次に、中継サーバ４のＨＴＴＰ通信部４１は、中継部４２より受け取った電文を第１のサイネージ端末１ａに送信する。例えば、ＨＴＴＰ通信部４１は、その電文をＷｅｂＳｏｃｋｅｔ通信で第１のサイネージ端末１ａに送信する。
【０１１７】
ステップＳ５０６）その後、第１のサイネージ端末１ａのＨＴＴＰ通信部１９は、中継サーバ４より電文を受信し、電文読取部１６に送る。
【０１１８】
以降、第１のサイネージ端末１ａは、前述のステップＳ３０９〜Ｓ３１１と同様の処理を行う。また、携帯端末２は、前述のステップＳ３０５，Ｓ３０６と同様の処理を行う。その結果、第１のサイネージ端末１ａの画面は図１０に例示した通りとなり、携帯端末２の画面は図８に例示した通りとなる。
【０１１９】
ここで、図８に示した、アイコン８１、ＵＲＬａへの接続ボタン８２、ＵＲＬｂへの接続ボタン８３、切替ボタン８４は、携帯端末２のＨＴＴＰ処理部２９等の処理に応じて表示されている。つまり、ＨＴＴＰ処理部２９等は、アイコン８１等を、画面内の所定の第１表示領域に表示している。その後、例えば、ＵＲＬａへの接続ボタン８２が押された場合、Ｗｅｂクライアント部２５は、そのＨＴＴＰリクエストに対する応答のサイネージコンテンツ関連情報を、第１表示領域に重複しない第２表示領域、又は重複してもよいが表示階層の異なる第２表示領域（例えば、第１表示領域の上にポップアップされた表示領域）に表示する。そして、表示部２４は、第１表示領域と第２表示領域とをそれぞれ変更可能に表示する。かかるＷｅｂクライアント部２５又は表示部２４の実装方法については、例えば、ＨＴＴＰ処理部２９のＨＴＴＰリクエスト送信処理とは非同期的にＨＴＴＰリクエストを送信するような指示をＪａｖａＳｃｒｉｐｔに設定しておけばよい。これにより、例えばＷｅｂクライアント部２５で該ＪａｖａＳｃｒｉｐｔが実行されると、その応答については、該ＪａｖａＳｃｒｉｐｔにより一部だけの表示領域（第２表示領域のみ）を変えることができる。
【０１２０】
その他、Ｗｅｂクライアント部２５に代えて、ＨＴＴＰ処理部２９及び／又はＵＲＬ情報画面生成部２３に同様のＪａｖａＳｃｒｉｐｔを用いてもよい。ＨＴＴＰ通信部２９の場合、本実施の形態では、第１の実施の形態と異なり、ＨＴＴＰリクエストに対するＨＴＴＰ応答を各サイネージ端末１ａ，１ｂから受け取ることから、そのＨＴＴＰ応答の受信のタイミングによっては、せっかく表示していたアイコンを含む画面全体が変わる可能性がある。そこで、ＨＴＴＰ処理部２９及び／又はＵＲＬ情報画面生成部２３に、Ｗｅｂクライアント部２５のＨＴＴＰリクエスト処理とは非同期的にＨＴＴＰリクエストを送信するような指示をＪａｖａＳｃｒｉｐｔに設定しておく。これにより、ＨＴＴＰ処理部２９及び／又はＵＲＬ情報画面生成部２３で該ＪａｖａＳｃｒｉｐｔが実行されると、該ＪａｖａＳｃｒｉｐｔにより一部だけの表示領域（第１表示領域のみ）を変えることができる。
【０１２１】
以上より、本実施の形態では、携帯端末２から第１のサイネージ端末１ａへの電文が中継サーバ４を介して送信される。そのため、携帯端末２と第１のサイネージ端末１ａとの間の距離の大きさへの依存性を排除できる。すなわち、携帯端末２と第１のサイネージ端末１ａとが大きく離れている場合でも、携帯端末２に表示されるアイコンと同じアイコンを第１のサイネージ端末１ａに表示できる。
【０１２２】
また、本実施の形態では、アイコン８１等を表示する第１表示領域と、サイネージコンテンツ関連情報を表示する第２表示領域とを異なる表示領域に表示し、それぞれ変更する。そのため、画面全体の表示が変わることを防止し、画面の利便性を向上できる。
【０１２３】
また、本実施の形態であっても、携帯端末２と第１のサイネージ端末１ａとに同じアイコンが表示され、かつ、携帯端末２では第１のサイネージ端末１ａに関連するＵＲＬａへの接続ボタン８２が強調表示される。そのため、携帯端末２の操作者は、ＵＲＬａとＵＲＬｂのどちらが第１のサイネージ端末１ａに関連付けられたものかを判断できる。
【０１２４】
次に、携帯端末２操作者が、その後、携帯端末２の表示部２４に表示されている切替ボタン８４を選択した場合の動作について、第１の実施の形態との差分について説明する。なお、操作者が切替ボタン８４を選択した場合の処理において、前述のステップＳ４０１〜Ｓ４０６までの処理は同様である。
【０１２５】
ステップＳ６０１）携帯端末２の電文生成部２７は、ＵＲＬ情報画面生成部２３よりそれぞれ受け取った情報を含んだ電文を生成し、ＨＴＴＰ通信部２９に送る。
【０１２６】
ステップＳ６０２）次に、携帯端末２のＨＴＴＰ通信部２９は、電文生成部２７よりそれぞれ受け取った電文を中継サーバ４に送信する。例えば、ＨＴＴＰ通信部２９は、各電文をＷｅｂＳｏｃｋｅｔ通信で中継サーバ４に送信する。
【０１２７】
ステップＳ６０３）中継サーバ４のＨＴＴＰ通信部４１は、携帯端末２より受信した電文を中継部４２へ送る。
【０１２８】
ステップＳ６０４）次に、中継サーバ４の中継部４２は、ＨＴＴＰ通信部４１より受信した電文の内容に含まれる宛先である各サイネージ端末１ａ，１ｂの識別子を抽出し、これを新たに宛先とした電文を生成し、ＨＴＴＰ通信部４１に送る。
【０１２９】
ステップＳ６０５）次に、中継サーバ４のＨＴＴＰ通信部４１は、中継部４２より受け取った電文を各サイネージ端末１ａ，１ｂに送信する。例えば、ＨＴＴＰ通信部４１は、各電文をＷｅｂＳｏｃｋｅｔ通信で各サイネージ端末１ａ，１ｂにそれぞれ送信する。
【０１３０】
ステップＳ６０６）その後、第１のサイネージ端末１ａのＨＴＴＰ通信部１９は、中継サーバ４より電文を受信し、電文読取部１６に送る。以降、第１のサイネージ端末１ａは、前述のステップＳ４１０〜Ｓ４１２と同様の処理を行う。同様に、第２のサイネージ端末１ｂのＨＴＴＰ通信部１９は、中継サーバ４より電文を受信し、電文読取部１６に送る。以降、第２のサイネージ端末１ｂは、前述のステップＳ４１４〜Ｓ４１６と同様の処理を行う。アイコン８１、サイネージコンテンツ関連情報等の表示方法については、前述の通りである。
【０１３１】
これにより、本実施の形態では、携帯端末２から各サイネージ端末１ａ，１ｂへの電文が中継サーバ４を介して送信される。そのため、携帯端末２と各サイネージ端末１ａ，１ｂとの間の距離の大きさへの依存性を排除できる。すなわち、携帯端末２と各サイネージ端末１ａ，１ｂとが大きく離れている場合でも、第１のサイネージ端末１ａに表示されていたアイコンを削除し、携帯端末２に表示されるアイコンと同じアイコンを第２のサイネージ端末１ｂに表示できる。
【０１３２】
また、本実施の形態では、アイコン８１等を表示する第１表示領域と、サイネージコンテンツ関連情報を表示する第２表示領域とを異なる表示領域に表示し、それぞれ変更する。そのため、画面全体の表示が変わることを防止し、画面の利便性を向上できる。
【０１３３】
また、本実施の形態であっても、携帯端末２と第２のサイネージ端末１ｂとに同じアイコンが表示され、かつ、第２のサイネージ端末１ｂに関連するＵＲＬｂへの接続ボタン８３が強調表示される。そのため、携帯端末２の操作者は、ＵＲＬａとＵＲＬｂのどちらが第２のサイネージ端末１ｂに関連付けられたものかを判断できる。
【０１３４】
以上説明したように、本実施の形態によれば、携帯端末がＢＬＥで通信できる範囲に、サイネージ端末が２つより多く存在し、複数のサイネージ端末からサイネージコンテンツ関連情報のＵＲＬがＢＬＥでそれぞれ発信される場合であっても、１つのサイネージ端末のみに携帯端末に表示されているアイコンと同一のアイコンを表示させることができる。これにより、携帯端末を持つサイネージ視聴者が連携対象デジタルサイネージ及びサイネージコンテンツ関連情報を判別することができる。
【０１３５】
［第３の実施の形態］
以下、第３の実施の形態について、図面を用いて第１の実施の形態との差分について説明する。第１の実施の形態では、画面に表示するアイコンの決定権が携帯端末２にある場合について説明した。一方、第３の実施の形態では、その決定権が各サイネージ端末１ａ，１ｂにある場合について説明する。
【０１３６】
図１６は、本実施の形態における各装置の機能ブロック構成を示す図である。各サイネージ端末１ａ，１ｂについて、第１の実施の形態との差分について説明する。
【０１３７】
各サイネージ端末１ａ，１ｂは、コンテンツ表示制御部１１と、コンテンツ画面生成部１２と、コンテンツ蓄積部１３と、表示部１４と、通信部１５と、電文読取部１６と、電文反映画面生成部１７と、アイコン蓄積部１８と、電文生成部１１０と、を備えて構成される。
【０１３８】
通信部１５は、予め設定されたＵＲＬを含んだ信号を、ＢＬＥを使って発信する。この信号には、発信元の第１のサイネージ端末１ａ又は第２のサイネージ端末１ｂを示す発信元識別子を含んでもよい。予め設定されたＵＲＬとは、例えば、該デジタルサイネージコンテンツ関連情報のＵＲＬである。また、通信部１５は、電文生成部１１０より受け取った電文を携帯端末２にＢＬＥを使って送信する。また、通信部１５は、携帯端末２から送信されたＢＬＥの信号を受信し、その信号に含まれる電文を電文読取部１６に送る。
【０１３９】
電文反映画面生成部１７は、電文読取部１６より受け取った電文に従って、表示内容を生成し、表示部１４に送る。また、電文反映画面生成部１７は、電文の内容に応じて、アイコン蓄積部１８よりアイコンを取得し、表示内容を生成し、表示部１４に送る。また、電文反映画面生成部１７は、アイコン蓄積部１８より取得したアイコン識別子を電文生成部１１０に送る。
【０１４０】
電文生成部１１０は、電文反映画面生成部１７より受け取った情報から電文を生成し、通信部１５に送る。
【０１４１】
次に、本実施の形態において、図１に図示される状態、すなわち第１のサイネージ端末１ａと携帯端末２が通信できる範囲にあり、第２のサイネージ端末１ｂと携帯端末２が通信できる範囲にある場合の動作について説明する。以降、図１７を参照しながら、操作者が確認ボタン６４を選択した場合の処理を説明する。なお、操作者が確認ボタン６４を選択するまでの動作は、前述のステップＳ２０１〜Ｓ２０４，ステップＳ３０１〜Ｓ３０６と同様である。
【０１４２】
ステップＳ７０１）まず、携帯端末２のＵＲＬ情報画面生成部２３は、現時点において、１番目に受信した信号として、第１のサイネージ端末１ａに関する、発信元識別子１ａ、ＵＲＬａ、Ｔｉｔｌｅａを記憶している。また、ＵＲＬ情報画面生成部２３は、２番目に受信した信号として、第２のサイネージ端末１ｂに関する、発信元識別子１ｂ、ＵＲＬｂ、Ｔｉｔｌｅｂを記憶している。
【０１４３】
ステップＳ７０２）次に、携帯端末２の入力受付部２６は、ＵＲＬ情報画面生成部２３に確認ボタン６４が押された旨を送信する。
【０１４４】
ステップＳ７０３）次に、携帯端末２のＵＲＬ情報画面生成部２３は、アイコン表示指示と発信元である携帯端末２の識別子とを電文内容とし、１番目に受信した信号の発信元である第１のサイネージ端末１ａの識別子を宛先として、電文生成部２７に送る。また、ＵＲＬ情報画面生成部２３は、電文生成部２７に宛先として送った第１のサイネージ端末１ａの識別子を記憶する。
【０１４５】
ステップＳ７０４）次に、携帯端末２の電文生成部２７は、ＵＲＬ情報画面生成部２３より受け取った情報をもとに電文を生成し、通信部２１に送る。この電文の一例を図１８に示す。その後、通信部２１は、受け取った電文をＢＬＥの信号で、宛先である第１のサイネージ端末１ａに送信する。
【０１４６】
ステップＳ７０５）第１のサイネージ端末１ａの通信部１５は、携帯端末２からの信号を受信し、受信した信号に含まれる電文を電文読取部１６に送る。
【０１４７】
ステップＳ７０６）次に、第１のサイネージ端末１ａの電文読取部１６は、通信部１５より受け取った電文より、アイコン表示指示と発信元である携帯端末２の識別子とを抽出し、電文反映画面生成部１７に送る。
【０１４８】
ステップＳ７０７）次に、第１のサイネージ端末１ａの電文反映画面生成部１７は、電文読取部１６より受け取ったアイコン表示指示にアイコン識別子が含まれていない場合、ランダムに任意のアイコンをアイコン蓄積部１８より取得し、取得したアイコンを利用して画面生成し、表示部１４に送る。また、電文反映画面生成部１７は、取得したアイコンのアイコン識別子を電文生成部１１０に送る。ここで、一定時間内に他の携帯端末からのアイコン表示指示により取得したアイコンと同一のものが取得された場合、電文反映画面生成部１７は、再度アイコンを取得し直し、同一のものとならないものとなるまで繰り返す処理を加えてもよい。
【０１４９】
ステップＳ７０８）その後、第１のサイネージ端末１ａの表示部１４は、電文反映画面生成部１７から表示内容を受け取り画面に描画する。画面の例は図１０と同様である。
【０１５０】
ステップＳ７０９）また、第１のサイネージ端末１ａの電文生成部１１０は、電文反映画面生成部１７より受け取ったアイコン識別子を電文の内容に含む電文を生成し、通信部１５に送る。その後、通信部１５は、電文の発信元の携帯端末２を宛先として、電文生成部１１０より受け取った電文をＢＬＥの信号で、宛先の携帯端末２に送信する。
【０１５１】
ステップＳ７１０）携帯端末２の通信部２１は、第１のサイネージ端末１ａからの信号を受信し、受信した信号に含まれる電文を電文読取部２２に送る。
【０１５２】
ステップＳ７１１）次に、携帯端末２の電文読取部２２は、通信部２１より受け取った電文よりアイコン識別子と発信元であるサイネージ端末１ａの識別子とを抽出し、ＵＲＬ情報画面生成部２３に送る。
【０１５３】
ステップＳ７１２）次に、携帯端末２のＵＲＬ情報画面生成部２３は、電文読取部２２より受け取ったアイコン識別子をもとに、アイコン蓄積部２８よりアイコンを取得する。
【０１５４】
ステップＳ７１３）次に、携帯端末２のＵＲＬ情報画面生成部２３は、取得したアイコン、ＵＲＬａ、ＵＲＬｂ、各ＵＲＬに対応するｔｉｔｌｅ要素を表示内容として、電文読取部２２より宛先として受け取った第１のサイネージ端末１ａに関連する情報を強調表示するよう画面を生成し、表示部２４に送る。
【０１５５】
ステップＳ７１４）最後に、携帯端末２の表示部２４は、ＵＲＬ情報画面生成部２３より受け取った表示内容を画面に表示する。画面の例は図８と同様である。アイコン８１は、第１のサイネージ端末１ａより受け取った電文をもとにアイコン蓄積部２８より取得したアイコンである。ＵＲＬａへの接続ボタン８２には、先に受信した第１のサイネージ端末１ａからの信号に含まれるＵＲＬａから紐付く内容が表示されており、ＵＲＬｂへの接続ボタン８３には、後に受信した第２のサイネージ端末１ｂからの信号に含まれるＵＲＬｂから紐付く内容が表示されている。電文読取部２２より宛先として受け取った第１のサイネージ端末１ａに関連するＵＲＬａへの接続ボタン８２は、アイコン表示指示の宛先である旨がわかるよう強調表示されている。
【０１５６】
これにより、本実施の形態では、携帯端末２が、第１のサイネージ端末１ａにより決められたアイコンを表示する。そのため、携帯端末２は、自端末で任意のアイコンを決める処理を実行しないことから、その決定処理に要する時間を費やすことなくアイコンを素早く表示できる。
【０１５７】
また、本実施の形態であっても、携帯端末２と第１のサイネージ端末１ａとに同じアイコンが表示され、かつ、携帯端末２では第１のサイネージ端末１ａに関連するＵＲＬａへの接続ボタン８２が強調表示される。そのため、携帯端末２の操作者は、ＵＲＬａとＵＲＬｂのどちらが第１のサイネージ端末１ａに関連付けられたものかを判断できる。
【０１５８】
以降、更に、携帯端末２の操作者が、携帯端末２の表示部２４に表示されている切替ボタン８４を選択した場合の動作については、前述のステップＳ４０１〜Ｓ４１６に記載の内容と同様である。携帯端末２は、切替ボタン８４が選択された場合、切替先のサイネージ端末から受信したアイコン識別子に従うアイコンを画面に表示する。
【０１５９】
以上説明したように、本実施の形態によれば、携帯端末がＢＬＥで通信できる範囲に、サイネージ端末が２つより多く存在し、アイコンの決定権をサイネージ端末が持つ場合であっても、１つのサイネージ端末のみに携帯端末に表示されているアイコンと同一のアイコンを表示させることができる。これにより、携帯端末を持つサイネージ視聴者が連携対象デジタルサイネージ及びサイネージコンテンツ関連情報を判別することができる。
【０１６０】
なお、本実施の形態は、第１の実施の形態に基づき説明したが、第２の実施の形態を用いて同様に処理を行ってもよい。
【０１６１】
［第４の実施の形態］
以下、第４の実施の形態について、図面を用いて第１の実施の形態〜第３の実施の形態との差分について説明する。第１の実施の形態〜第３の実施の形態では、各サイネージ端末１ａ，１ｂからＵＲＬを含んだ信号が発信されている状況を前提とし、携帯端末２で該ＵＲＬに基づき図６のＷｅｂページ画面を生成する場合について説明した。一方、本実施の形態では、各サイネージ端末１ａ，１ｂからＵＲＬを含んだ信号が発信されていない場合について説明する。
【０１６２】
図１９は、本実施の形態における各装置の機能ブロック構成を示す図である。各サイネージ端末１ａ，１ｂについて、第１の実施の形態との差分について説明する。
【０１６３】
各サイネージ端末１ａ，１ｂは、コンテンツ表示制御部１１と、コンテンツ画面生成部１２と、コンテンツ蓄積部１３と、表示部１４と、通信部１５と、電文読取部１６と、電文反映画面生成部１７と、アイコン蓄積部１８と、を備えて構成される。
【０１６４】
通信部１５は、携帯端末２から送信された電波を受信し、その信号に含まれる電文を電文読取部１６に送る。
【０１６５】
次に、携帯端末２について、第１の実施の形態との差分について説明する。
【０１６６】
携帯端末２は、通信部２１と、ＵＲＬ情報画面生成部２３と、表示部２４と、Ｗｅｂクライアント部２５と、入力受付部２６と、電文生成部２７と、アイコン蓄積部２８と、を備えて構成される。
【０１６７】
通信部２１は、電文生成部２７より受け取った電文を、ＢＬＥを使って発信する。
【０１６８】
ＵＲＬ情報画面生成部２３は、入力受付部２６より受け取った情報に従って、表示内容を生成し、表示部２４に送る。また、ＵＲＬ情報画面生成部２３は、受け取った情報に含まれるＵＲＬをＷｅｂクライアント部２５に送ってもよい。また、ＵＲＬ情報画面生成部２３は、その返却値として、Ｗｅｂクライアント部２５から受け取った画面内容を表示部２４に表示する画面としてもよい。また、ＵＲＬ情報画面生成部２３は、入力受付部２６から受け取った操作内容に応じた、電文に含むデータを電文生成部２７へ渡す。
【０１６９】
入力受付部２６は、携帯端末２の操作者からの操作及び携帯端末２内の他のプログラムからの入力を受け付ける。また、入力受付部２６は、その操作内容をＵＲＬ情報画面生成部２３に送る。
【０１７０】
前述した通り、本実施の形態では、図６のＷｅｂページ画面を生成するための元データが各サイネージ端末１ａ，１ｂから発信されていない。そこで、本実施の形態では、各サイネージ端末１ａ，１ｂの関連情報へのリンクを集約したＷｅｂページを予め用意しておき、携帯端末２に保持するか、任意のＷｅｂサーバで公開する。
【０１７１】
このＷｅｂページを表示するため、例えば、入力受付部２６は、携帯端末２の操作者の文字入力やブックマーク選択等により入力又は選択されたＵＲＬを、表示すべきＵＲＬとしてＵＲＬ情報画面生成部２３に渡す。ＵＲＬ情報画面生成部２３は、入力受付部２６より渡されたＵＲＬを用いてＷｅｂページを生成する。このとき、入力等されたＵＲＬと各サイネージ端末１ａ，１ｂとを紐付ける手段又は方法は、既存技術を用いる。例えば、入力受付部２６は、操作者の文字入力後に、紐付けるサイネージ端末を選択させるようにしてもよい。
【０１７２】
その他、例えば、第１のサイネージ端末１ａ又は第２のサイネージ端末１ｂの近辺に各サイネージ端末１ａ，１ｂに係るＵＲＬを示す二次元コード（二次元バーコード等）が提示されている場合、携帯端末２は、その二次元コードを別のプログラムから読み取り、入力受付部２６を介して、表示すべきＵＲＬとしてＵＲＬ情報画面生成部２３に渡してもよい。
【０１７３】
その他、例えば、キャプティブポータル技術を応用することも考えられる。各サイネージ端末１ａ，１ｂの付近で接続可能な無線ＬＡＮがある場合、該無線ＬＡＮに無線接続すると各サイネージ端末１ａ，１ｂに係るＵＲＬを認証後に携帯端末２に通知するようにしておく。携帯端末２は、無線ＬＡＮへの認証時に通知されたＵＲＬを受け取り、入力受付部２６を介して、表示すべきＵＲＬとしてＵＲＬ情報画面生成部２３に渡してもよい。
【０１７４】
なお、表示部２４が該当画面を表示した後の動作は、第１の実施の形態と同様である。
【０１７５】
以上説明したように、本実施の形態によれば、携帯端末の近辺にサイネージ端末が２つより多く存在し、サイネージ端末からサイネージコンテンツ関連情報のＵＲＬをＢＬＥで発信されておらず、携帯端末がそのＵＲＬをＢＬＥで受信していない場合であっても、１つのサイネージ端末のみに携帯端末に表示されているアイコンと同一のアイコンを表示させることができる。これにより、携帯端末を持つサイネージ視聴者が連携対象デジタルサイネージ及びサイネージコンテンツ関連情報を判別することができる。
【０１７６】
なお、本実施の形態は、第１の実施の形態に基づき説明したが、第２の実施の形態又は第３の実施の形態を用いて同様に処理を行ってもよい。
【０１７７】
最後に、本実施の形態で説明した、第１のサイネージ端末１ａ、第２のサイネージ端末１ｂ、携帯端末２、Ｗｅｂサーバ３、中継サーバ４は、ＣＰＵ、メモリ、ハードディスク等を備えたコンピュータ（情報処理装置）で実現できる。また、第１のサイネージ端末１ａ、第２のサイネージ端末１ｂ、携帯端末２、Ｗｅｂサーバ３、中継サーバ４としてコンピュータを機能させるためのプログラムや該プログラムの記憶媒体を作成することも可能である。
【符号の説明】
【０１７８】
１ａ…第１のサイネージ端末（情報処理装置）
１ｂ…第２のサイネージ端末（情報処理装置）
１１…コンテンツ表示制御部
１２…コンテンツ画面生成部
１３…コンテンツ蓄積部
１４…表示部（出力装置）
１５…通信部（送信部）
１６…電文読取部
１７…電文反映画面生成部（出力部）
１８…アイコン蓄積部
１９…ＨＴＴＰ通信部
１００…電文生成部
２…携帯端末（携帯型の情報処理装置）
２１…通信部（送信部）
２２…電文読取部
２３…ＵＲＬ情報画面生成部（出力部）
２４…表示部（出力装置）
２５…Ｗｅｂクライアント部
２６…入力受付部
２７…電文生成部
２８…アイコン蓄積部
２９…ＨＴＴＰ通信部
３…Ｗｅｂサーバ
４…中継サーバ
Ｓ１０１〜Ｓ１０７、Ｓ２０１〜Ｓ２０４、Ｓ３０１〜Ｓ３１１、Ｓ４０１〜Ｓ４１６、Ｓ５０１〜Ｓ５０６、Ｓ６０１〜Ｓ６０６、Ｓ７０１〜Ｓ７１４…ステップ
【図１】
0006529181.tif 000002
【図２】
0006529181.tif 000003
【図３】
0006529181.tif 000004
【図４】
0006529181.tif 000005
【図５】
0006529181.tif 000006
【図６】
0006529181.tif 000007
【図７】
0006529181.tif 000008
【図８】
0006529181.tif 000009
【図９】
0006529181.tif 000010
【図１０】
0006529181.tif 000011
【図１１】
0006529181.tif 000012
【図１２】
0006529181.tif 000013
【図１３】
0006529181.tif 000014
【図１４】
0006529181.tif 000015
【図１５】
0006529181.tif 000016
【図１６】
0006529181.tif 000017
【図１７】
0006529181.tif 000018
【図１８】
0006529181.tif 000019
【図１９】
0006529181.tif 000020